(57)【要約】【課題】ＩＤカードとして好適な情報処理装置を提供し、簡単な操作で様々なコンテンツを切替え表示できるようにする。【解決手段】情報処理装置１０は、表示部１２と、表示部１２に表示画面が表示されている状態での情報処理装置１０の上下の向き、及び情報処理装置１０の変位を検出する姿勢検出部（加速度センサー１５、角速度センサー１６、判定部２２）と、姿勢検出部により検出された情報処理装置１０の向きが上下順方向である場合に、所定のコンテンツを表示部１２に表示させ、姿勢検出部により検出された情報処理装置１０の向きが上下逆方向である場合に、姿勢検出部により検出された情報処理装置１０の変位に応じて表示部１２に表示されるコンテンツを変更する制御部２１と、を備える。【選択図】図２
2019105771.tif 000002
【特許請求の範囲】
【請求項１】
表示部と、
前記表示部に表示画面が表示されている状態で本情報処理装置の上下の向き、及び前記情報処理装置の変位を検出する姿勢検出部と、
前記姿勢検出部により前記情報処理装置の向きが予め定められた上下順方向であると検出されているきは、予め定められたコンテンツを前記表示部に表示させ、前記姿勢検出部により前記情報処理装置の向きが上下逆方向であると検出されたときは、前記姿勢検出部により検出された前記情報処理装置の変位に応じて、前記表示部に表示されるコンテンツを変更する制御部と、を備える情報処理装置。
【請求項２】
前記制御部は、前記姿勢検出部により検出された前記情報処理装置の向きが上下順方向である場合に、前記姿勢検出部により前記情報処理装置の変位が検出されても、前記表示部による前記予め定められたコンテンツの表示を維持する請求項１に記載の情報処理装置。
【請求項３】
前記制御部は、前記姿勢検出部により検出された前記情報処理装置の向きが上下逆方向から上下順方向に切り替わり、前記姿勢検出部による上下順方向の検出が一定時間継続した場合に、前記表示部による前記予め定められたコンテンツの表示を再開させる請求項１又は請求項２に記載の情報処理装置。
【請求項４】
前記情報処理装置が変位する各方向に対応付けたそれぞれのコンテンツを記憶する記憶部を備え、
前記姿勢検出部は、前記情報処理装置の変位の方向を検出し、
前記制御部は、前記姿勢検出部により検出された前記情報処理装置の向きが上下逆方向である場合に、前記記憶部に記憶されている前記各コンテンツのうちから、前記姿勢検出部により検出された前記変位の方向に対応付けられたコンテンツを選択して、当該選択したコンテンツを前記表示部に表示させる請求項１乃至請求項３のいずれか１つに記載の情報処理装置。
【請求項５】
外部の端末装置から送信されたコンテンツを受信する通信部を備え、
前記制御部は、前記受信したコンテンツを前記情報処理装置の変位の方向に対応付けて前記記憶部に記憶させる請求項４に記載の情報処理装置。
【請求項６】
前記姿勢検出部は、前記情報処理装置に生じた加速度又は回転角度を検出するセンサーと、前記センサーにより検出された加速度又は回転角度に基づき、前記表示部に表示画面が表示されている状態での前記情報処理装置の上下方向の向き及び前記情報処理装置の変位を判定する判定部とを含む請求項１乃至請求項５のいずれか１つに記載の情報処理装置。
【請求項７】
前記制御部は、前記姿勢検出部により検出された前記情報処理装置の向きが上下逆方向である場合に、前記表示部に表示されるコンテンツを前記予め定められたコンテンツを表示する向きとは上下逆向きにする請求項１乃至請求項６のいずれか１つに記載の情報処理装置。
【請求項８】
前記情報処理装置は、携帯可能なカード型であり、
前記情報処理装置をユーザーの身体に着脱自在に取付けるための取付け部材を更に備える請求項１乃至請求項７のいずれか１つに記載の情報処理装置。
【発明の詳細な説明】
【技術分野】
【０００１】
本発明は、表示部を備える携帯可能な情報処理装置に関し、特に表示部の表示を切り替える技術に関する。
【背景技術】
【０００２】
情報処理装置には、画像を表示部に表示する際に、当該装置の傾きを検出して、この検出した傾きに応じて表示部における画像の表示の向きを変更するものがある（特許文献１及び特許文献２を参照）。また、このような情報処理装置として、装置の傾きを検出して、この検出した傾きに応じて表示部における情報の画面レイアウトを変更するものもある（特許文献３を参照）。
【０００３】
更に、上記のように装置の傾きに応じて表示部における画像の表示の向きを変更しながらも、操作者によって当該装置が振られたときに当該振れの加速度が予め定められた値よりも大きい場合には、表示部における表示の向きの変更を禁止するものがある（特許文献４を参照）。
【先行技術文献】
【特許文献】
【０００４】
【特許文献１】特許５４２３８９４号
【特許文献２】特開２０１２−０１４０２２号公報
【特許文献３】特開２０１２−２４７９５９号公報
【特許文献４】特開２０１０−１９３０６６号公報
【発明の概要】
【発明が解決しようとする課題】
【０００５】
ここで、社員証などのＩＤカードに代えて、上記のような情報処理装置を用いることが考えられる。ただし、ＩＤカードはストラップ等によりユーザーの首にぶら下げられる等により使用され、対面する他人に、顔写真、所属部署などのユーザー情報（コンテンツ）を見せる必要があるため、情報処理装置をＩＤカードの代わりとして用いる場合は、顔写真、所属部署などのユーザー情報を表示部に常に表示させることが求められると共に、更に、他の様々なコンテンツを表示部に切替えて表示可能にすることも望まれる。
【０００６】
しかしながら、上記特許文献１乃至４では、装置の傾きに応じて、表示部における画像の表示を変更するため、装置がストラップでユーザーの首にぶら下げられたときに装置が傾くと、表示部に表示されている上記ユーザー情報が変更されることになり、ＩＤカードの代わりとしては使い勝手が悪い。また、上記特許文献４に記載の技術の場合も、装置が振られたときの振れの加速度が予め定められた値よりも大きい場合に、表示部における表示の向きの変更を禁止するだけであるので、装置が触れたときには表示部に表示されている上記ユーザー情報が変更されてしまい、ＩＤカードの代わりとしては不都合である。
【０００７】
また、上記特許文献１乃至４に記載された技術により、他の様々な画像を表示部に切替え表示するには、装置のキーを操作する必要がある。しかしながら、操作用のキーを、ＩＤカードに代えて用いられる装置に増設すると、当該装置の小型化、薄型化を損なう。
【０００８】
本発明は、上記の事情に鑑みなされたものであり、ＩＤカードに代わる装置として好適な機能を発揮し、様々なコンテンツを容易に切替え表示可能な情報処理装置を提供することを目的とする。
【課題を解決するための手段】
【０００９】
本発明の一局面に係る情報処理装置は、表示部と、前記表示部に表示画面が表示されている状態で本情報処理装置の上下の向き、及び前記情報処理装置の変位を検出する姿勢検出部と、前記姿勢検出部により前記情報処理装置の向きが予め定められた上下順方向であると検出されているきは、予め定められたコンテンツを前記表示部に表示させ、前記姿勢検出部により前記情報処理装置の向きが上下逆方向であると検出されたときは、前記姿勢検出部により検出された前記情報処理装置の変位に応じて、前記表示部に表示されるコンテンツを変更する制御部と、を備えるものである。
【発明の効果】
【００１０】
本発明に係る情報処理装置によれば、ＩＤカードに代わる装置として好適な機能を発揮し、様々なコンテンツを容易に切替え表示することが可能である。
【図面の簡単な説明】
【００１１】
【図１】本発明の一実施形態にかかる情報処理装置の外観を示す平面図である。
【図２】本実施形態にかかる情報処理装置の内部構成を示すブロック図である。
【図３】（Ａ）は上下順方向に向けられた情報処理装置を示す平面図であり、（Ｂ）は上下逆方向に向けられた情報処理装置を示す平面図である。
【図４】情報処理装置の前後方向の揺動を示す斜視図である。
【図５】（Ａ）は情報処理装置の横方向の回転を示す斜視図であり、（Ｂ）は情報処理装置の縦方向の回転を示す斜視図である。
【図６】情報処理装置の向きや変位に応じて切り替え表示される表示部のコンテンツを示す図である。
【図７】情報処理装置の向きや変位に応じて表示部に表示されるコンテンツを切替えるための処理手順を示すフローチャートである。
【発明を実施するための形態】
【００１２】
以下、本発明の実施形態について図面を参照して説明する。
【００１３】
図１は、本発明の一実施形態にかかる情報処理装置の外観を示す斜視図である。図２は、本実施形態にかかる情報処理装置の内部構成を示すブロック図である。
【００１４】
本実施形態の情報処理装置１０は、例えば社員証などのＩＤカードの代わりに用いられる。情報処理装置１０は、制御ユニット１１と、表示部１２と、記憶部１３と、通信部１４と、加速度センサー１５と、角速度センサー１６とを備えている。これらの構成要素は、互いにバスを通じてデータ又は信号の送受信が可能とされている。
【００１５】
表示部１２は、液晶ディスプレイ（ＬＣＤ：Liquid Crystal Display）や有機ＥＬ（ＯＬＥＤ：Organic Light-Emitting Diode）、電子ペーパーなどから構成される。
【００１６】
記憶部１３は、大容量の書き換え可能な不揮発性メモリー（ＥＥＰＲＯＭなど）等であって、表示部１２に表示される複数のコンテンツを記憶している。
【００１７】
通信部１４は、通信インターフェイスであって、外部の発信機（ビーコン）やサーバーなどとの間でデータ通信を行う。
【００１８】
加速度センサー１５は、既知の３軸の加速度センサーであり、情報処理装置１０（特に表示部１２）のＸ軸、Ｙ軸、Ｚ軸の３方向の加速度を検出して、３方向の加速度を示すそれぞれの検出信号ＸＳ、ＹＳ、ＺＳを出力する。加速度センサー１５が情報処理装置１０に内蔵されているので、この加速度センサー１５により情報処理装置１０に作用した３方向の加速度が検出されることとなる。
【００１９】
角速度センサー１６は、既知の角速度センサーであり、情報処理装置１０（特に表示部１２）の基準軸周りの回転角度を検出する。角速度センサー１６が情報処理装置１０に内蔵されているので、この角速度センサー１６により基準軸周りの情報処理装置１０の回転角度が検出されることとなる。また、ここでは、２つの角速度センサー１６が設けられている。一方の角速度センサー１６は、情報処理装置１０の横方向Ｈの回転を検出し、その回転角度を示す検出信号ＨＳを出力する。他方の角速度センサー１６は、情報処理装置１０の縦方向Ｖの回転を検出し、その回転角度を示す検出信号ＶＳを出力する。
【００２０】
制御ユニット１１は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。制御ユニット１１は、上記のＲＯＭ又は記憶部１３に記憶された制御プログラムが上記プロセッサーで実行されることにより、制御部２１、判定部２２、及び通信制御部２３として機能する。なお、制御ユニット１１の上記の各構成要素は、前述の制御プログラムに基づく動作によらず、それぞれハード回路により構成されてもよい。
【００２１】
制御部２１は、全体的な動作制御を行うが、主に表示部１２の表示制御を行う。通信制御部２３は、通信部１４の通信動作を制御する。
【００２２】
判定部２２は、加速度センサー１５から各検出信号ＸＳ、ＹＳ、ＺＳ、及び２つの角速度センサー１６から検出信号ＨＳ、ＶＳを受け取って、これらの検出信号に基づき、情報処理装置１０の向き及び変位を演算して求める。なお、本実施形態では、図１に示すように表示部１２及び情報処理装置１０は一体化されているため、ここでいう情報処理装置１０の向き及び変位は、表示部１２の向き及び変位でもある。例えば、判定部２２は、該各検出信号に基づき、表示部１２に画面１２Ａが表示されている状態で、情報処理装置１０が図３（Ａ）（Ｂ）に示す上下順方向Ｕ及び上下逆方向Ｄのいずれの向きにあるかを判定する。
【００２３】
情報処理装置１０がストラップＳＴでユーザーの首にぶら下げられた状態では、図３（Ａ）に示すように情報処理装置１０は上下順方向Ｕの向きとなるものとする。すなわち、図３（Ａ）に示す、ストラップＳＴでユーザーの首にぶら下げられた状態にある情報処理装置１０の向きを、予め定められた上下順方向とする。また、図３（Ｂ）に示すように情報処理装置１０が上下逆方向Ｄの向きにあるときには、ユーザーが情報処理装置１０を手に持って該情報処理装置１０の上下を上下順方向Ｕから反転させた状態である。
【００２４】
また、判定部２２は、加速度センサー１５からの各検出信号ＸＳ、ＹＳ、ＺＳ、及び２つの角速度センサー１６からの検出信号ＨＳ、ＶＳに基づき、図４に示すように情報処理装置１０が前後方向ＦＢに揺動されているか否かを判定する。本実施形態では、前後方向ＦＢは、情報処理装置１０が上下順方向Ｕにある状態での水平方向に近似する。
【００２５】
更に、判定部２２は、加速度センサー１５からの各検出信号ＸＳ、ＹＳ、ＺＳ、及び２つの角速度センサー１６からの検出信号ＨＳ、ＶＳに基づき、図５（Ａ）（Ｂ）に示すように情報処理装置１０が横方向Ｈ及び縦方向Ｖのいずれの方向に回転しているかを判定する。
【００２６】
なお、判定部２２は、加速度センサー１５の各検出信号ＸＳ、ＹＳ、ＺＳ及び２つの角速度センサー１６の検出信号ＨＳ、ＶＳに基づき、情報処理装置１０の他の向き及び変位を検出する。また、加速度センサー１５、２つの角速度センサー１６、及び判定部２２は、特許請求の範囲における姿勢検出部に相当する。
【００２７】
このような構成の情報処理装置１０では、情報処理装置１０の向きや変位に対応付けられたそれぞれのコンテンツが記憶部１３に予め記憶されている。判定部２２が情報処理装置１０の向きや変位を判定すると、制御部２１は、その判定された向きや変位に対応付けられたコンテンツを記憶部１３から読み出して、この読み出したコンテンツを表示部１２に表示させる。従って、制御部２１は、表示部１２に表示されるコンテンツを、情報処理装置１０の向きや変位に応じて切り替える。図６（Ａ）乃至（Ｆ）は、制御部２１が、情報処理装置１０の向きや変位に応じて表示部１２に切り替えて表示するそれぞれのコンテンツＣ１〜Ｃ６を例示している。
【００２８】
次に、そのような情報処理装置１０の向きや変位に応じて表示部１２に表示されるコンテンツを切替えるための処理手順を、図７に示すフローチャートを参照して説明する。
【００２９】
例えば、ユーザーは、情報処理装置１０のストラップＳＴを自分の首に掛けて、情報処理装置１０を、その向きを上下順方向Ｕでぶら下げる。ユーザーは、この状態で情報処理装置１０を起動させる（Ｓ１０１）。制御部２１は、情報処理装置１０が起動されると、判定部２２は、加速度センサー１５からの各検出信号ＸＳ、ＹＳ、ＺＳ、及び２つの角速度センサー１６からの検出信号ＨＳ、ＶＳに基づき、情報処理装置１０の向きを上下順方向Ｕと判定し、制御部２１は、情報処理装置１０の向きを上下順方向Ｕとして初期設定する（Ｓ１０２）。
【００３０】
ここで、記憶部１３には、上下順方向Ｕに対応付けられたコンテンツとして、社員証（コンテンツ）Ｃ１が記憶されている。制御部２１は、上下順方向Ｕに対応付けられた社員証（コンテンツ）Ｃ１を記憶部１３から読み出して、図６（Ａ）に示すように社員証Ｃ１を表示部１２に表示させる（Ｓ１０３）。
【００３１】
このように上下順方向Ｕが情報処理装置１０の向きとして判定されている状態では、制御部２１は、判定部２２による情報処理装置１０が前後方向ＦＢに揺動されたという判定及び情報処理装置１０が横方向Ｈ及び縦方向Ｖのいずれかの方向に回転又は往復回転されたという判定に拘わらず、社員証Ｃ１を表示部１２に表示し続ける（Ｓ１０５）。このため、ストラップＳＴでぶら下げられた情報処理装置１０がユーザーの動きに伴って揺られても、情報処理装置１０の向きが上下順方向Ｕと判定されている限り、社員証Ｃ１が表示部１２に表示され続ける。
【００３２】
上下順方向Ｕが情報処理装置１０の向きとして判定されている状態では、制御部２１は、判定部２２により情報処理装置１０の向きが上下逆方向Ｄと判定されるのを待機している（Ｓ１０６）。判定部２２により上下逆方向Ｄの向きが判定されなければ（Ｓ１０６でＮｏ）、制御部２１はＳ１０５を繰り返す。
【００３３】
例えば、ユーザーが情報処理装置１０を手に持って、情報処理装置１０の上下を反転させた状態とし、判定部２２により上下逆方向Ｄの向きが判定されると（Ｓ１０６でＹｅｓ）、制御部２１は、判定部２２により情報処理装置１０が前後方向ＦＢに揺動されたという判定、及び情報処理装置１０が縦方向Ｖ及び横方向Ｈのいずれかの方向に回転されたという判定がされるのを待機する（Ｓ１０７）。
【００３４】
そして、判定部２２により情報処理装置１０が横方向Ｄに回転したと判定されると（Ｓ１０７で「横方向」）、制御部２１は、横方向Ｈに対応付けられた予定表（コンテンツ）Ｃ２を記憶部１３から読み出して、図６（Ｂ）に例を示すように、予定表Ｃ２を、社員証Ｃ１とは上下逆向きにして、表示部１２に表示させる（Ｓ１０９）。
【００３５】
また、制御部２１は、判定部２２により情報処理装置１０が縦方向Ｖに回転されたと判定されると（Ｓ１０７で「縦方向」）、縦方向Ｖに対応付けられたコメント（コンテンツ）Ｃ３を記憶部１３から読み出して、図６（Ｃ）に例示すように、コメントＣ３を、社員証Ｃ１とは上下逆向きにして、表示部１２に表示させる（Ｓ１１０）。
【００３６】
更に、制御部２１は、判定部２２により情報処理装置１０が前後方向ＦＢに揺動されたと判定されると（Ｓ１０７で「前後方向」）、判定部２２により情報処理装置１０が前後方向ＦＢに揺動されたと繰り返し判定される度に、この判定の回数Ｎを１〜３回の範囲でサイクリックにカウントする。制御部２１は、カウント値が１になると、カウント値１に対応付けて記憶部１３に記憶されている、第１グラフを示す画像Ｃ４を記憶部１３から読み出して、図６（Ｄ）に例を示すように、第１グラフＣ４を社員証Ｃ１とは向きを上下逆向きにして表示部１２に表示させる。
【００３７】
そして、制御部２１は、カウント値が２になると、カウント値２に対応付けて記憶部１３に記憶されている第２グラフ（コンテンツ）Ｃ５を当該記憶部１３から読み出して、図６（Ｅ）に例を示すように第２グラフＣ５を社員証Ｃ１とは向きを上下逆向きにして表示部１２に表示させる。
【００３８】
更に、制御部２１は、カウント値が３になると、カウント値３に対応付けて記憶部１３に記憶されている第３グラフ（コンテンツ）Ｃ６を当該記憶部１３から読み出して、図６（Ｆ）に示すように第３グラフＣ６を社員証Ｃ１とは向きを上下逆向きにして表示部１２に表示させる。
【００３９】
制御部２１は、カウント値が１に戻ると（カウント値３の次はカウント値１としてカウントする）、第１グラフＣ４を表示部１２に再度表示させる（Ｓ１１１）。すなわち、制御部２１は、情報処理装置１０の前後方向ＦＢの揺動の回数に応じて第１グラフＣ４乃至第３グラフＣ６を表示部１２にサイクリックに表示させる。
【００４０】
また、ここでは、横方向Ｈの回転、縦方向Ｖの回転、前後方向ＦＢの揺動並びに揺動回数を例示しているが、他の方向の回転、他の方向の揺動、様々な方向の直線移動に対応付けられた複数のコンテンツを記憶部１３に記憶しておき、判定部２２が他の方向の回転、他の方向の揺動、様々な方向の直線移動を判定したときに、制御部２１がその判定された方向に対応付けられたコンテンツを記憶部１３から読み出して表示部１２に表示させてもよい。
【００４１】
このように、本実施形態によれば、ユーザーが情報処理装置１０を手に持って該情報処理装置１０の上下を反転させて、情報処理装置１０の向きを上下逆方向Ｄにした後、この上下逆方向Ｄの状態で情報処理装置１０を横方向Ｈに回転させると、予定表Ｃ２が表示部１２に表示され、また上下逆方向Ｄの状態で情報処理装置１０を縦方向Ｖに回転させると、コメントＣ３が表示部１２に表示され、更に上下逆方向Ｄの状態で情報処理装置１０を前後方向ＦＢに揺動させると、この揺動の回数に応じて第１グラフＣ４乃至第３グラフＣ６がサイクリックに表示される。
【００４２】
このような予定表Ｃ２、コメントＣ３、第１グラフＣ４乃至第３グラフＣ６の切替え表示中、制御部２１は、判定部２２により上下順方向Ｕの向きが判定されるのを待機している（Ｓ１１２）。そして、制御部２１は、判定部２２により上下順方向Ｕの向きが判定されない間は（Ｓ１１２でＮｏ）、Ｓ１０７からの処理を繰り返す。また、制御部２１は、判定部２２により上下順方向Ｕの向きが判定されると（Ｓ１１２でＹｅｓ）、この判定の継続時間の計時を開始して、この継続時間が規定時間（例えば、５秒）に達したか否かを判定し（Ｓ１１３）、該継続時間が規定時間に達しなければ（Ｓ１１３でＮｏ）、Ｓ１０７からの処理を繰り返す。
【００４３】
また、制御部２１は、該継続時間が規定時間に達すると（Ｓ１１３でＹｅｓ）、Ｓ１０３からの処理に戻って、図６（Ａ）に示す社員証Ｃ１を表示部１２に再度表示させる。これにより、ユーザーがストラップＳＴを自分の首に掛けて情報処理装置１０をぶら下げた状態になったときに、社員証Ｃ１が表示部１２に再度表示されることとなる。
【００４４】
また、制御部２１は、判定部２２により情報処理装置１０が前後方向ＦＢに揺動されたという判定と、情報処理装置１０が縦方向Ｖ又は横方向Ｈのいずれかの方向に回転されたという判定とについて、いずれもされない場合（Ｓ１０７でＮｏ）、判定部２２により上下順方向Ｕの向きが判定されない（Ｓ１１２でＮｏ）、或いは、判定部２２により上下順方向Ｕの向きが判定されても（Ｓ１１２でＹｅｓ）、この判定の継続時間が規定時間に達しないときは（Ｓ１１３でＮｏ）、Ｓ１０７からの処理を繰り返す。制御部２１は、該継続時間が規定時間に達すると（Ｓ１１３でＹｅｓ）、Ｓ１０３からの処理に戻って、社員証Ｃ１を表示部１２に表示させる。
【００４５】
このように本実施形態の情報処理装置１０では、ユーザーがストラップＳＴを自分の首に掛けて情報処理装置１０をぶら下げた状態では、社員証Ｃ１が表示部１２に表示され、ユーザーの動きにより情報処理装置１０が揺られても、判定部２２により情報処理装置１０の向きが上下順方向Ｕと判定されている限り、制御部２１は、表示部１２における社員証Ｃ１の表示を維持する。このような表示の維持は、情報処理装置１０をＩＤカードとして使用するのに好適である。
【００４６】
また、ユーザーが情報処理装置１０を手に持って該情報処理装置１０の向きを上下反転させた状態では、情報処理装置１０の横方向Ｈの回転、縦方向Ｖの回転、前後方向ＦＢの揺動並びに揺動回数に応じて、予定表Ｃ２、コメントＣ３、第１グラフＣ４乃至第３グラフＣ６が切替え表示される。このため、情報処理装置１０をＩＤカードとして使用して社員証を表示すると共に、更に、様々なコンテンツ容易に切替えて表示することができる。
【００４７】
なお、上記実施形態では、記憶部１３に予め記憶されている複数のコンテンツを切替え表示しているが、外部の発信機（ビーコンなど）から送信されたコンテンツを情報処理装置１０の通信部１４で受信して、制御部２１が、受信した各コンテンツを、情報処理装置１０の変位の方向別に対応付けてそれぞれ記憶部１３に記憶させ、判定部２によって判定される情報処理装置１０の向きや変位に応じて表示部１２に表示させるようにしてもよい。
【００４８】
例えば、食堂や会議室などに設置された発信機から食堂や会議室の情報（コンテンツ）が情報処理装置１０に送信されると、情報処理装置１０では、このコンテンツを通信部１４で受信する。制御部２１は、このコンテンツを例えば縦方向Ｖの回転に対応付けて記憶部１３に記憶させる。そして、判定部２２が情報処理装置１０の向きを、上下逆方向Ｄの向きとして判定している状態で、更に、情報処理装置１０が縦方向Ｖの方向に回転したと判定した場合、縦方向Ｖの回転に対応付けられたコンテンツを記憶部１３から読み出して表示部１２に表示させる。
【００４９】
あるいは、制御部２１は、コンテンツを、通信制御部２３及び通信部１４を通じて外部のサーバーから受信して、このコンテンツを、上記のように情報処理装置１０の変位の方向別に対応付けて記憶部１３に記憶させ、判定部２２により判定された方向に応じたコンテンツを記憶部１３から読み出して、表示部１２に表示させるものとしてもよい。
【００５０】
また、制御部２１は、情報処理装置１０の電池の電圧が低下して、表示部１２によるコンテンツの切替え表示が困難となる直前に、電池の消耗を表示部１２に表示させてもよい。例えば、制御部２１は、電池の電圧を予め設定された閾値と比較して、電池の電圧が閾値まで低下すると、電池の消耗を示すメッセージなどを表示部１２に表示させる。
【００５１】
また、一般的なＩＣカードと同様のＩＣチップを情報処理装置１０に内蔵させたり、情報処理装置１０の本体筐体の外側に識別情報を示すバーコードや磁気ストライプを設けたりしても構わない。
【００５２】
また、情報処理装置１０をユーザーの身体に着脱自在に取付けるためにストラップＳＴを用いているが、クリップなどの他の部材を用いても構わない。
【００５３】
また、図１乃至図７を用いて説明した上記実施形態の構成は、本発明の一例に過ぎず、本発明を当該構成に限定する趣旨ではない。
【符号の説明】
【００５４】
１０    情報処理装置
１１    制御ユニット
１２    表示部
１３    記憶部
１４    通信部
１５    加速度センサー
１６    角速度センサー
２１    制御部
２２    判定部
２３    通信制御部
【図１】
2019105771.tif 000003
【図２】
2019105771.tif 000004
【図３】
2019105771.tif 000005
【図４】
2019105771.tif 000006
【図５】
2019105771.tif 000007
【図６】
2019105771.tif 000008
【図７】
2019105771.tif 000009